(57)【要約】【課題】本発明はエアフィルタ濾材及びエアフィルタに関するもので、接着成分の溶融により基材と細繊維及び細繊維同士を強固に接着しても、濾材の通気性を妨げず、集塵効果が低下しないエアフィルタ濾材を提供することができる。【解決手段】エアフィルタ濾材１は、基材２と、基材２表面に設けた接着成分３と、その上に設けた細繊維層４と、細繊維層４を保護するための保護層５とから形成され、基材２と細繊維層４とが、接着成分３の溶融によって接着されている構成にしたことにより、細繊維６が実質的に短くなるので、細繊維６の切断や片寄りが生じ難くなる結果、無数の細孔を維持することができ、高い集塵効率を維持できる。また、接着成分３が主に基材２の繊維上に点在することにより、熱圧着しても接着成分３が細繊維６の細孔に進入する箇所が非常に少ないため、通気性の低下を抑えることができるので、圧力損失の増加を抑制できる。【選択図】図３
2013099737.tif 000002
【特許請求の範囲】
【請求項１】
基材と、前記基材表面に設けた接着成分と、
前記基材及び接着成分上に設けた細繊維層と、
前記細繊維層を保護するための保護層とから形成され、
基材と細繊維とが前記接着成分の溶融によって接着されていることを特徴とするエアフィルタ濾材。
【請求項２】
細繊維がファイバとビーズからなる数珠状の合成繊維であることを特徴とする請求項１に記載のエアフィルタ濾材。
【請求項３】
基材と細繊維層と保護層の３層が熱圧着により接着されていることを特徴とする請求項１または２に記載のエアフィルタ濾材。
【請求項４】
接着成分は点在していることを特徴とする請求項１から３のいずれか１つに記載のエアフィルタ濾材。
【請求項５】
細繊維層が１００〜１０００ｎｍの平均繊維径から構成されたことを特徴とする請求項１〜４のいずれか１つに記載のエアフィルタ濾材。
【請求項６】
保護層を構成する繊維の繊維径が、基材を構成する繊維の繊維径よりも細いことを特徴とする請求項１〜５のいずれか１つに記載のエアフィルタ濾材。
【請求項７】
基材及び保護層を構成する繊維はガラス繊維、パルプ繊維、樹脂繊維、炭素繊維および無機繊維またはそれらの少なくとも１つを含んでいる繊維によって形成した請求項１〜６のいずれか１つに記載のエアフィルタ濾材。
【請求項８】
細繊維層が静電紡糸法によって形成されたものであることを特徴とする請求項１〜７のいずれか１つに記載のエアフィルタ濾材。
【請求項９】
請求項１から８のいずれか１つに記載のエアフィルタ濾材をプリーツ加工して形状を固定したエアフィルタ。
【請求項１０】
吸気口と排気口を備えた本体ケースと、
この本体ケース内に設けた送風手段と、
前記本体ケースの前記吸気口に
請求項９に記載のエアフィルタが装着された空気清浄装置。
【請求項１１】
請求項１０の空気清浄装置の空気清浄経路内に加湿手段を備えた加湿機能付き空気清浄装置。
【発明の詳細な説明】
【技術分野】
【０００１】
本発明は、空気調和機などに組み込まれるエアフィルタにおいて、細繊維を含むエアフィルタ濾材とこのエアフィルタ濾材で構成されたエアフィルタ、およびこのエアフィルタを装着した空気清浄装置に関する。
【背景技術】
【０００２】
従来、この種のエアフィルタ濾材は、細繊維と基材とが積層されたものが知られており、このエアフィルタ濾材は初期において圧力損失が低く、非常に高い集塵効率を有している。しかし、細繊維の強度が非常に弱いのに加え、細繊維と基材および細繊維間の接着力も弱いため、プリーツ形状加工時においては、細繊維の切断や細繊維と基材及び細繊維間の剥離による細繊維の片寄りが生じる結果、細孔が破損し、集塵効率の低下を招いてしまうという課題があった。
【０００３】
そのため、細繊維層と熱融着性繊維層とをホットメルト系樹脂層を介して熱接着した熱接着性複合シートが提案されている（特許文献１参照）。
【先行技術文献】
【特許文献】
【０００４】
【特許文献１】特許第４７４８８３８号
【発明の概要】
【発明が解決しようとする課題】
【０００５】
しかし、このような熱接着性複合シートはホットメルト系樹脂が基材表面の繊維上だけでなく、基材の空隙上にも存在するので、基材の空隙上においてもホットメルト系樹脂が細繊維層を構成する細繊維の細孔に進入するため、細繊維層の細孔を閉塞する割合が増加し、細繊維層における圧力損失の増加が大きいという課題があった。
【０００６】
そこで本発明は、圧力損失の増加の抑制を目的とするものであり、細繊維層と基材及び細繊維同士を強固に接着しても、濾材の通気性を妨げないために圧力損失の増加が小さく、しかもプリーツ加工等の加工を行っても、細繊維の切断や片寄りによる細孔の破損が生じ難く、加工後も集塵効果が低下しないエアフィルタ濾材を提供する。
【課題を解決するための手段】
【０００７】
上記目的を達成するために、基材と、この基材表面に設けた接着成分と、その上に設けた細繊維層と、細繊維層を覆う保護層とから形成され、細繊維層と基材とが接着成分の溶融によって接着されていることを特徴とするエアフィルタ濾材を提供するものであり、これにより所期の目的を達成するものである。
【発明の効果】
【０００８】
本発明のエアフィルタ濾材によれば、基材と、基材表面に設けた接着成分と、その上に設けた細繊維層と、細繊維層を覆う保護層とから形成され、細繊維層と基材とが接着成分の溶融によって接着されていることを特徴としたことにより、細繊維が実質的に短くなるので、切断や片寄りが生じ難くなる。その結果、無数の細孔が確保されるので、高い集塵効率を維持できる。
【０００９】
また、接着成分が主に基材の繊維上に点在することにより、熱圧着しても接着成分が細繊維の細孔に進入する箇所が非常に少ないため、エアフィルタ濾材としての通気性の低下を抑えることができるので、圧力損失の増加を抑制できる。
【図面の簡単な説明】
【００１０】
【図１】本発明の実施の形態１におけるエアフィルタ濾材の断面図
【図２】（ａ）接着成分溶融前の顕微鏡写真、（ｂ）接着成分溶融前の概略断面図
【図３】（ａ）接着成分溶融後の顕微鏡写真、（ｂ）接着成分溶融後の概略断面図
【図４】同エアフィルタ濾材の製造方法を示す概略図
【図５】同エアフィルタの斜視図
【図６】本発明の実施の形態２における加湿機能付き空気清浄装置の本体構成を示す概略断面図
【発明を実施するための形態】
【００１１】
本発明の請求項１記載のエアフィルタ濾材は、基材と、この基材表面に設けた接着成分と、その上に設けた細繊維層と、細繊維層を覆う保護層とから形成され、細繊維層と基材とが接着成分の溶融によって接着されていることを特徴とする。これにより、細繊維が接着成分を介して基材に接着するため、細繊維の長さが実質的に短くなるので、細繊維の切断や片寄りによる細孔の破損が生じ難くなる結果、無数の細孔を維持することができ、高い集塵効率を維持できるという効果を奏する。また、保護層を設けることで外的接触による細繊維の破損を防止できる。
【００１２】
また、細繊維がファイバとビーズからなる数珠状の合成繊維であってもよい。これにより、接着面積が増大するので、ビーズの無い細繊維を用いる場合に比べ、細繊維と基材とをより強固に接着できるという効果を奏する。
【００１３】
また、基材と細繊維層と保護層の３層が熱圧着により接着されていてもよい。熱圧着することで細繊維が接着成分に埋まるため、細繊維同士を強固に接着できることにより、細繊維層間の剥離を防ぐことができるので、細繊維の片寄りによる細孔の破損が生じ難く、高い集塵効率を維持できるという効果を奏する。
【００１４】
さらに、細繊維が接着成分に埋まることで、接着成分が保護層とも接触するようになり、保護層に接着効果を持たせることなく濾材の一体化が可能となるので、細繊維の細孔を閉塞する箇所を減少でき、圧力損失の増加を抑えることができるという効果を奏する。
【００１５】
また、接着成分は連続していなく、点在しているものであってもよい。これにより、接着成分は主に基材の繊維上に設けられるので、細繊維の細孔を閉塞する割合が非常に小さくなり、エアフィルタ濾材としての通気性の低下を抑制できる。その結果、圧力損失の増加を抑えることができるという効果を奏する。
【００１６】
また、本発明のエアフィルタ濾材は、細繊維層の平均繊維径が１００〜１０００ｎｍである。繊維径が細いため、繊維同士の隙間が小さくなるので、集塵効率が向上するとともに、スリップフロー効果により、圧力損失の増加を抑制できる。ここで、スリップフロー効果とは、繊維径がナノメートルオーダーになると空気分子と細繊維表面との界面で起こる相互作用により空気が滑りやすくなる効果である。
【００１７】
また、空気流の上流側面に設けた保護層を構成する繊維の繊維径を、基材を構成する繊維の繊維径よりも細くすることにより、保護層は低圧力損失でありながら、集塵効率が高くなるので、上流で大きな粉塵を効率的に捕集できるようになる。その結果、長期使用時におけるエアフィルタ濾材の圧力損失の増加を抑制できるという効果を奏する。
【００１８】
細繊維層は静電紡糸法によって成形されていることが好ましい。この方法は、ポリマー溶液に高電圧を印加することによって溶液をスプレーすることで、細繊維層を形成させる方法であり、得られる繊維の繊維径は、印加電圧、溶液濃度などに依存し、これらの条件を調整することで任意の繊維径とすることができる。
【００１９】
また、請求項１から８のいずれかに記載のエアフィルタ濾材をプリーツ加工して形状を固定するエアフィルタは、接着成分を介して細繊維と基材が強固に接合されているので、加工および成形、使用の各過程において、細繊維の切断や片寄りによる細孔の破損が生じず、安定したエアフィルタ濾材性能を確保することができるという効果を奏する。
【００２０】
また、本発明の空気清浄装置は、低圧力損失・高集塵効率のエアフィルタを用いているので、動作音が静かで、消費電力が低く、集塵効率が高いという効果を奏する。
【００２１】
また、空気清浄装置の空気清浄経路内に加湿手段を備えた加湿機能付き空気清浄装置では、低圧力損失のエアフィルタを用いているため、従来の熱接着性複合シートに比べ、加湿手段において十分な風量を確保できるので、加湿能力が高いという効果を奏する。
【００２２】
以下、本発明における実施の形態について図面を参照しながら説明する。
【００２３】
（実施の形態１）
図１に示すように、エアフィルタ濾材１は、基材２と、この基材２表面に設けた接着成分３と、基材２及び接着成分３上に設けた細繊維層４と、細繊維層４を保護する保護層５とを備えており、細繊維６と基材２は接着成分３の溶融によって接着されている。
【００２４】
このような構成にすることで、外的接触による細繊維層４の破損を防止できる。また、細繊維６が接着成分３に埋まることで、接着成分３と保護層５とが接触するようになり、保護層５に接着効果を持たせることなく濾材の一体化が可能になる。これにより、余剰に接着成分３を使用しなくても良いので、細繊維層４の細孔を閉塞する箇所を減少できることにより、圧力損失の増加を抑えることができ、エアフィルタ濾材１としての通気性の低下を抑制できる。
【００２５】
図２は熱圧着前の細繊維６が接着成分３を介して基材２に接着している様子であり、（ａ）にはその顕微鏡写真、（ｂ）には概略断面図を示す。これを熱圧着することにより、溶融前において接着成分３上に存在した細繊維６は、図３（ａ）に顕微鏡写真、（ｂ）に概略断面図を示すように、溶融後には接着成分３に埋まるので、接着成分３のない場合に比べ、細繊維同士をより強固に接着できるという効果を奏する。熱圧着の方法としては、アイロンのように、加熱面をエアフィルタ濾材に押し当てても良く、また、一定間隔を保つ２本の加熱ロールの間に挟んで搬送することによって得ることもできる。
【００２６】
細繊維６はファイバとビーズからなる数珠状の合成繊維であることが好ましい。ここで接着成分３の溶融によってビーズが接着成分３に埋もれると、接着成分３内部でビーズが楔となるので、ビーズの無い細繊維６を用いる場合に比べ、細繊維６と基材２とを強固に接着できる。また、熱圧着されることで、ビーズが扁平となり、接着成分３に埋もれず、その表面で接触するビーズにおいては接着成分３との接着面積が増大するため、細繊維６と基材２とをより強固に接着できる。
【００２７】
また、図２（ａ）に示すように、接着成分３は繊維状で基材２の空隙上に連続して存在しているものでなく、粒子状で基材２の繊維上に点在しているものである。接着力が同等の場合、つまり基材２と接着成分３と細繊維６との３点が接着している面積を同等にした場合、接着成分３が繊維状のときは、基材２との接着に寄与しない基材２の空隙上においても細繊維６が接着成分３に埋まるので、細繊維層４の細孔を閉塞する箇所が増加する結果、圧力損失が増加する。
【００２８】
一方、接着成分３が粒子状のときは、基材２の空隙内部の繊維上に接着成分３が存在しても、この接着成分３は基材２内部に埋もれてしまうため、基材２表面に設けられた細繊維６と空隙内部の接着成分３との接触する割合は非常に小さい。つまり、接着成分３が粒子状の場合は、細繊維６は主に基材２と接着成分３と細繊維６との３点が接着している基材２表面の繊維上にて接着成分３に埋まるので、繊維状の場合と比較して、細孔を閉塞する箇所を減少できる結果、圧力損失の増加を抑えることができ、エアフィルタ濾材１としての通気性の低下を抑制できる。
【００２９】
細繊維層４は、公知の高分子ポリマーを後述する静電紡糸法などの手法により形成された平均繊維径１００〜１０００ｎｍの繊維からなる。平均繊維径がナノメートルオーダーの繊維は一般的にナノファイバーと称され、繊維径が細いため、繊維同士の隙間が小さくなり、集塵効率が向上する。さらには、繊維同士の隙間が小さいにも関わらず、前述したスリップフロー効果により、圧力損失が低くなる。
【００３０】
すなわち、同じ集塵効率のナノファイバーで形成された濾材と１０００ｎｍ以上の繊維で形成された濾材の圧力損失を比較すると、ナノファイバーで形成された濾材の方が、圧力損失が低くなる。
【００３１】
公知の静電紡糸法により細繊維層４を作製する材質は、溶媒に溶解できるものであれば良い。
【００３２】
例えば、ポリアクリロニトリル（ＰＡＮ）、ポリプロピレン（ＰＰ）、ポリエチレン（ＰＥ）、ポリエチレンオキシド（ＰＥＯ）、ポリエチレンナフタレート（ＰＥＮ）、ポリエチレンテレフタレート（ＰＥＴ）、ポリエーテルスルフォン（ＰＥＳ）、ポリメタクリル酸、ポリメタクリル酸メチル、ポリフッ化ビニリデン（ＰＶＤＦ）、ポリ塩化ビニル（ＰＶＣ）、ポリテトラフルオロエチレン、ポリビニルアルコール（ＰＶＡ）、ポリカーボネート（ＰＣ）、ポリスチレン、ポリアミド、ポリイミド、ポリアミドイミド、アラミド、ポリイミドベンザゾール、ポリグリコール酸（ＰＧＡ）、ポリ乳酸（ＰＬＡ）、ポリウレタン（ＰＵ）、セルロース化合物、ポリペプチド、ナイロン６６などのナイロン系、タンパク質などの高分子ポリマーを溶液化したもの、及びアルミナや酸化チタンなどの無機材料をゾル化したものであってもよい。
【００３３】
また、高分子ポリマーを溶解させる溶媒としては、高分子ポリマーと相溶性があり、溶解させることが出来れば特に限定されない。これらの溶媒としては、水、アルコール類、有機溶剤等が挙げられ、具体的なアルコール類や有機溶剤としては、アセトン、クロロホルム、エタノール、イソプロパノール、メタノール、トルエン、テトラヒドロフラン、ベンゼン、ベンジルアルコール、１，４−ジオキサン、プロパノール、四塩化炭素、シクロヘキサン、シクロヘキサノン、塩化メチレン、フェノール、ピリジン、トリクロロエタン、酢酸などの揮発性の高い溶媒や、Ｎ，Ｎ−ジメチルホルムアミド（ＤＭＦ）、ジメチルスルホキシド（ＤＭＳＯ）、Ｎ，Ｎ−ジメチルアセトアミド（ＤＭＡｃ）、１−メチル−２−ピロリドン（ＮＭＰ）、エチレンカーボネート、プロピレンカーボネート、ジメチルカーボネート、アセトニトリル、Ｎ−メチルモルホリン−Ｎ−オキシド、ブチレンカーボネート、γ−ブチロラクトン、ジエチルカーボネート、ジエチルエーテル、１，２−ジメトキシエタン、１，３−ジメチル−２−イミダゾリジノン、１，３−ジオキソラン、エチルメチルカーボネート、メチルホルマート、３−メチルオキサゾリジン−２−オン、メチルプロピオネート、２−メチルテトラヒドロフラン、スルホランなどの揮発性が相対的に低い溶媒が挙げられる。
【００３４】
基材２を構成する繊維はガラス繊維、パルプ繊維、樹脂繊維、炭素繊維および無機繊維またはそれらの少なくとも１つを含んでいる繊維によって形成されており、基材２の製法としては、スパンボンド法、乾式または湿式抄紙法、メルトブローン法、スパンボンド法、エアレイド法、サーマルボンド法などが挙げられる。
【００３５】
基材２は、細繊維層４を支持する支持体となる部材であるので、繊維の材質、形状、長さについては特に限定されないが、剛性が低すぎるとプリーツ加工が困難になり、生産性が低下するので、プリーツ加工に耐えられる程度の剛性があれば良く、例えばガラス繊維などが好ましい。
【００３６】
基材２の目付量は１０〜１００ｇ／ｍ２であることが好ましい。目付量が１０ｇ／ｍ２未満であると、基材２の剛性が低下することにより、プリーツ加工の生産性の低下やフィルタ形状の維持が困難になる。
【００３７】
一方、１００ｇ／ｍ２以上であると、基材２の厚みが厚くなり、プリーツ加工による構造的な圧力損失が大きくなるので、好ましくない。逆に、プリーツ加工による構造的な圧力損失の増加を抑制しようと基材２の厚みを薄くした場合、基材２自体の圧力損失が大きくなるので、エアフィルタ濾材１の圧力損失が大きくなり、細繊維層４の低圧力損失特性が薄れてしまうので、好ましくない。
【００３８】
基材２を構成する繊維の平均繊維径は、１〜５０μｍであることが好ましい。平均繊維径が１μｍ未満であると、単繊維の強度が低くなるので、基材２の剛性が低下することにより、プリーツ加工の生産性の低下やフィルタ形状の維持が困難になる。一方、５０μｍ以上であると、基材２の厚みが厚くなり、プリーツ加工による構造的な圧力損失が大きくなるので、好ましくない。
【００３９】
保護層５は細繊維層４を保護する部材である。保護層５を構成する繊維は基材２と同じであっても良いし、熱融着性の樹脂繊維などを用いても良い。熱融着性の繊維を用いた場合には、加熱によって保護層５が溶融し、細繊維層４との接着をより強固にすることができるという効果を奏する。
【００４０】
熱融着性繊維を含む保護層５の例としては、エアフィルタ濾材１として機能するために通気性を有する必要があるので、たとえば、熱融着性樹脂材料を含むスパンボンド不織布やサーマルボンド不織布、あるいは熱融着性繊維をバインダとして用いた紙類などを用いることができる。
【００４１】
保護層５を構成する繊維の平均繊維径は、基材２を構成する繊維の平均繊維径よりも細く、１〜１０μｍであることが好ましい。平均繊維径が１μｍ未満であると、自己支持性が乏しく、保護層５を形成するためには目付量が多い必要があり、その結果、圧力損失が大きくなるので、好ましくない。
【００４２】
一方、１０μｍ以上であると、保護層５の集塵効率が低下するので、好ましくない。好ましい平均繊維径は、２〜６μｍである。これにより、保護層５は低圧力損失でありながら、集塵効率が高くなるので、上流で大きな粉塵を効率的に捕集できるため、長期使用時におけるエアフィルタ濾材の圧力損失の増加を抑制できる。
【００４３】
保護層５は、圧力損失が１〜１０Ｐａ程度で、空気の流入を妨げないものが好ましい。圧力損失が１０Ｐａ以上であると、エアフィルタ濾材１の圧力損失が大きくなり、細繊維層４の低圧力損失特性が薄れてしまうので、好ましくない。
【００４４】
次に、本実施形態のエアフィルタ濾材１の製造方法の一例について説明する。
【００４５】
図４に示すように、製造設備は、基材２を載せて水平方向へ搬送する搬送手段７と、この搬送手段７の上方に位置する接着成分放出ノズル８と細繊維放出ノズル９とから構成されている。
【００４６】
エアフィルタ濾材１の製造は、まず、平板形状の基材２を搬送手段７によって搬送させながら、接着成分放出ノズル８から接着成分３を基材２に向かって放出し、接着成分３を基材２に付着させる。このとき、接着成分３は必ずしも接着力を有する必要はなく、加熱することで接着成分３が溶融し、基材２と細繊維層４が接着すればよい。
【００４７】
続いて細繊維放出ノズル９から細繊維６を接着成分３に向かって放出する。ここで、細繊維放出ノズル９には、＋２０ＫＶ程度の電圧を印加し、搬送手段７はアースに接続し、この電位差によって、細繊維放出ノズル９から放出した細繊維６が基材２及び接着成分３の表面に付着し、細繊維層４を形成させていく。また、接着成分３が基材２表面に設けられていると、基材２単独の場合に比べ細繊維６との接着面積が増大するので、基材２と細繊維６との接着力が増加し、製造時における基材２と細繊維層４との剥離が生じ難くなる。
【００４８】
図５には、このエアフィルタ濾材１をプリーツ加工して形状を固定したエアフィルタ１０の一例を示す。このエアフィルタ１０は、プリーツ形状のエアフィルタ濾材１と、このエアフィルタ濾材１をプリーツ形状に保持する形状保持部１１とから形成している。形状保持部１１は、ロの字形状の枠部１２と、この枠部１２とエアフィルタ濾材１との間に設けた接着部材１３とから形成している。つまり、枠部１２は、プリーツ形状のエアフィルタ濾材１周縁に位置し、接着部材１３によって、プリーツ形状のエアフィルタ濾材１を枠部１２に固定している。プリーツ加工の接着部材１３には、たとえば、ホットメルト樹脂や各種の接着剤によって、プリーツの頂点のみをつなぎとめるなどの方法を用いれば、エアフィルタ濾材１の表面積を確保しつつ、形状を固定することができる。このエアフィルタ１０では、細繊維層４と基材２及び細繊維６同士が強固に接合されており、加工および成形、使用の各過程において、細繊維６が破損せず、安定したエアフィルタ濾材１の性能を確保することができるという効果を奏する。
【００４９】
（実施の形態２）
本発明における加湿機能付き空気清浄装置の実施の形態２について説明する。実施の形態１と同様の作用効果を有する構成については同一符号を用い、詳細な説明は省略する。なお、以下に説明する内容は本発明実施の一例に過ぎず、これに限定されるものではない。
【００５０】
図６に示すように、本実施形態のエアフィルタ１０を装着した加湿機能付き空気清浄装置は、本体ケース１４内に送風手段１５とエアフィルタ１０、及び送風される空気を加湿する加湿手段２２とを備えている。
【００５１】
本体ケース１４は、略縦長箱形状で、この本体ケース１４の前面側側面部に、略四角形状の吸気口１６を設け、本体ケース１４の天面部に、略四角形状の排気口１７を備えている。この排気口１７には、風向ルーバー１８を設けている。
【００５２】
送風手段１５は、本体ケース１４の吸気口１６と、排気口１７との間の風路に設けられ、スクロール形状のケーシング１９と、このケーシング１９内に設けられた遠心送風ファンである羽根２０と、この羽根２０を回転させる電動機２１とから形成している。エアフィルタ１０は、本体ケース１４の吸気口１６に位置している。送風手段１５によって、室内の空気を吸気口１６から本体ケース１４内に吸気した空気は、エアフィルタ１０を介して排気口１７へと送風するものである。つまり、室内の空気をエアフィルタ１０で清浄して、室内へ送風するものである。このとき、本体ケース１４の吸気口１６から吸い込まれてエアフィルタ１０を通過した空気の一部または全部がこの加湿手段２２を通過して加湿され、送風手段１５によって本体ケース１４外部へと排出される。
【００５３】
このようにして、本発明の加湿機能付き空気清浄装置は、本体ケース１４に吸い込んだ空気を空気清浄するとともに空気の加湿を行うことができるものである。
【００５４】
ここで、加湿手段２２として、例えば、吸水性のある不織布を蛇腹状に折り曲げたものや少なくとも一部に耐水性および吸水性のある合成繊維を使用して編んで作成した立体編物の一端を加湿トレイ２３に貯留した水に沈めて吸水させ、これに空気を通過させて水が気化する作用により加湿を行う方法がある。
【００５５】
また、耐水性のある合成繊維を編みこんで作製して保水性を持たせた立体編物を電動機等の駆動手段によって加湿トレイ２３に貯留した水への浸水と取出しを定期的に繰り返すようにし、この立体編物に空気を通過させて水が気化する作用により加湿を行う方法がある。
【００５６】
また、円盤状の回転部材をその円盤面を略水平となるように配置し、円盤中心を通り円盤面に垂直な方向を回転軸として回転させ、この回転部材の上面に加湿トレイ２３に貯留された水を供給し、回転による遠心力によって水を微細な水滴に分裂させ、この微細な水滴に対して空気を当てるように通過させ水滴を気化させて加湿を行う方法がある。
【００５７】
また、超音波領域の振動数で振動する超音波振動子を加湿トレイ２３に貯留した水に水没するように配置し、この超音波振動子の振動によって水を微細な水滴に分裂させ、この微細な水滴に対して空気を当てるように通過させて水滴を気化させて加湿を行う方法、電熱線またはセラミックヒータなどの発熱素子によって加湿トレイ２３に貯留した水を加熱し、蒸発した水蒸気と空気を混合させることによって加湿を行う方法などがある。
【００５８】
また、本発明のエアフィルタ１０を装着した空気清浄装置は加湿機能付き空気清浄装置から加湿手段２２と加湿トレイ２３を除いた構成となっている。
【００５９】
このように、空気清浄装置に本発明のエアフィルタ１０を用いることにより、送風手段１５である電動機２１及び羽根２０の回転数を少なくすることができるので、動作音が静かで、消費電力が低く、集塵効率の高い空気清浄装置を実現できる。
【００６０】
また、加湿機能付き空気清浄装置においては、本発明のエアフィルタ１０を用いることにより、上記空気清浄装置の効果に加え、ホットメルト系樹脂が細繊維層の細孔に進入して圧力損失を増加させる従来の熱接着性複合シートよりも、加湿手段２２において十分な風量を確保できるため、加湿能力が高い加湿機能付き空気清浄装置を実現できる。
【産業上の利用可能性】
【００６１】
以上のように、本発明のエアフィルタ濾材は、低圧力損失・高集塵効率であるため、家庭用または業務用の空気清浄装置において、ホコリや花粉などのアレルゲンを除去するエアフィルタとして利用することができる。
【符号の説明】
【００６２】
１    エアフィルタ濾材
２    基材
３    接着成分
４    細繊維層
５    保護層
６    細繊維
７    搬送手段
８    接着成分放出ノズル
９    細繊維放出ノズル
１０  エアフィルタ
１１  形状保持部
１２  枠部
１３  接着部材
１４  本体ケース
１５  送風手段
１６  吸気口
１７  排気口
１８  風向ルーバー
１９  ケーシング
２０  羽根
２１  電動機
２２  加湿手段
２３  加湿トレイ
【図１】
2013099737.tif 000003
【図２】
2013099737.tif 000004
【図３】
2013099737.tif 000005
【図４】
2013099737.tif 000006
【図５】
2013099737.tif 000007
【図６】
2013099737.tif 000008